Podtech/llm-jp-corpus-v4-ja_patent huggingface dataset:
(57)【要約】【課題】義歯製作の時間と費用を削減するために、ＣＡＤ／ＣＡＭを利用し製作したパーツの置換を利用した複数のマテリアルを組み合わせる義歯製作方法を提供する。【解決手段】ＣＡＤ／ＣＡＭを利用し製作したパーツ（１）を型材（３）に埋没する。型材（３）硬化後、ＣＡＤ／ＣＡＭを利用し製作したパーツ（１）を除去し複数のマテリアル（２）を置換する。以上の手法よりなる義歯製作方法である。【選択図】図１
2018023699.tif 000002
【特許請求の範囲】
【請求項１】
ＣＡＤ／ＣＡＭを利用し製作したパーツ（１）の置換を利用した複数のマテリアル（２）を組み合わせる義歯製作方法。
【発明の詳細な説明】
【技術分野】
【０００１】この発明はＣＡＤ／ＣＡＭを利用し製作したパーツの置換を利用した複数のマテリアルを組み合わせる義歯製作方法に関するものである。
【背景技術】
【０００２】（イ）模型を使用し義歯を製作する。
（ロ）ＣＡＤ／ＣＡＭで製作したパーツを部分的に利用し義歯を製作する。
従来、義歯床の製作方法は以上の手法によるものだった。
【発明の概要】
【発明が解決しようとする課題】
【０００３】これは、次のような欠点があった。
従来、義歯の製作には模型が必要であった。それは装置等を義歯床内部に組み込むために、模型と装置等の隙間を利用する為である。模型を製作し、その後にその模型に合わせて義歯を製作する手法は、多くの時間と費用を費やす必要があった。またＣＡＤ／ＣＡＭ等の技術は複数のマテリアルを組み合わせたものを同時に組み込みながら製作するのが困難で、複数の材質が組み合わされている義歯を製作するのが困難であった。
本発明は、以上のような欠点をなくすためになされたものである。
【課題を解決するための手段】
【０００４】ＣＡＤ／ＣＡＭを利用し製作したパーツ（１）を型材（３）に埋没する。型材（３）硬化後、ＣＡＤ／ＣＡＭを利用し製作したパーツ（１）を除去し複数のマテリアル（２）を置換する。
本発明は、以上の手法よりなる義歯製作方法である。
【発明の効果】
【０００５】模型のデータや各パーツのデータがあれば、再び模型を製作する事なく義歯を製作する事が出来る。通常、義歯を製作するためには複数回の歯科医院への来院が必要であり、義歯の製作に数週間必要になる事もあるが、この手法を利用すると保存してあるデータと同じ内容の義歯であればすぐに製作する事ができる。同じ義歯を同時にスペアとして製作する事や、必要な時に必要な数だけ同じ義歯を製作する事が出来る。データとＣＡＤ／ＣＡＭ等の設備があれば、製作場所を選ばず同じ義歯を製作する事ができる。震災等の緊急時のリスクマネージメントになる。
【図面の簡単な説明】
【０００６】
【図１】本発明の断面図である。
【発明を実施するための形態】
【０００７】以下、本発明を実施するための手法について説明する。
ＣＡＤ／ＣＡＭを利用し製作したパーツ（１）を型材（３）に埋没する。型材（３）硬化後、ＣＡＤ／ＣＡＭを利用し製作したパーツ（１）を除去し複数のマテリアル（２）を置換する。
本発明は、以上のような手法である。
【符号の説明】
【０００８】１  ＣＡＤ／ＣＡＭを利用し製作したパーツ
２  複数のマテリアル
３  型材
【図１】
2018023699.tif 000003
(57)【要約】【課題】      本発明は睡眠中、常時、横向き寝姿勢を維持することができる仰向け寝防止用具を得ることにある。【解決手段】  背中に装着する本体部の背中に当たる部分を柔軟材とし、その柔軟材の中に固形突起体を内臓させたことで仰向け寝防止用具を構成している。【選択図】図１
2018023692.tif 000002
【特許請求の範囲】
【請求項１】
背中に装着する本体部の背中に当たる部分に柔軟材部を設け、その柔軟材部の中に固形突起体を内臓設置させ、仰向け寝姿勢の時のみ固形突起体部分が突出し、背中に刺激が加わるようにした仰向け寝防止用具。
【発明の詳細な説明】
【技術分野】
【０００１】本発明は、仰向け寝を防止する用具に関するものである。
【背景技術】
【０００２】  睡眠時無呼吸症は高血圧、糖尿病など種々の病気を誘発したり、睡眠不足による交通事故発生など、その弊害が問題化している。睡眠時無呼吸症には種々の原因があるが、  加齢、肥満の人が仰向け姿勢で寝ている時に上気道が狭窄し発生するケースが多い。
そのケースの防止対策として、仰向け寝を避け、横向き寝を促すための種々の枕が考案されている。
しかしそれらの枕の場合、睡眠中無意識的な寝返りなどにより頭の位置がズレたり移動し、横向き寝状態の維持が困難であった。
【発明の概要】
【発明が解決しようとする課題】
【０００３】  解決しようとする問題点は、睡眠中の寝返り等に影響されず、睡眠無意識下でも横向き寝姿勢になる仰向け寝防止用具を提供することを課題とする。
【課題を解決するための手段】
【０００４】  本発明は枕上の頭部を横向にすることによって横向き寝姿勢を促す手段でなく、背中に刺激を与えることによって横向き寝姿勢を促す手段をとったものである。
背中に当てる本体部の基板に柔軟材部を設け、その柔軟材部の中に固形突起体を内臓させ、本体部の位置固定用の肩掛け帯と胴締め帯を設けたことを特徴とする。
【発明の効果】
【０００５】  本発明は、仰向けの姿勢をとると固形突起体部分が背中に当たり刺激し不快感を与える為、睡眠中も無意識的に横向き寝姿勢になる効果を得られる。
【図面の簡単な説明】
【０００６】
【図１】本発明を実施するための形態の斜視図である。
【図２】本発明の本体部の縦断面図である。
【発明を実施するための形態】
【０００７】  本発明は１図に示す如く本体部１と肩掛け帯６及び胴締め帯５より構成される。本体部１は２図縦断面図に示す如く本体基板２とスポンジなど柔軟材部３及び固形突起体４から成る構造となっている。固形突起材の数は複数でも良い。
【０００８】  本体部１を背中に装着し、仰向け寝姿勢をとった場合、背中の重みによって柔軟材部３は圧縮され、内臓した固形突起体４部分が突出し、背中を刺激するため、睡眠中でも無意識的にそれを避け横向き寝姿勢となる。横向き寝姿勢になった場合は、圧力が加わらないため固形突起体４は柔軟材部３の中に埋没状態となり、固形突起体４による刺激や不快感が無い状態で横向き寝が可能となる。
肩掛け帯６と胴締め帯５は本体部１の背中における位置を固定させるものである。
【符号の説明】
【０００９】      １  本体部
２  本体基板
３  柔軟材部
４  固形突起体
５  胴締め帯
６  肩掛け帯
【図１】
2018023692.tif 000003
【図２】
2018023692.tif 000004
(57)【要約】【課題】義歯製作の時間と費用を削減するために、ＣＡＤ／ＣＡＭを利用し製作したパーツにその他のパーツを固定具で固定する事を利用した義歯製作方法を提供する。【解決手段】ＣＡＤ／ＣＡＭを利用し製作したパーツ（１）を用意する。その他のパーツ（２）を用意する。ＣＡＤ／ＣＡＭを利用し製作したパーツ（１）とその他のパーツ（２）を固定具（３）で固定する。以上の手法よりなる義歯製作方法である。【選択図】図１
2018023698.tif 000002
【特許請求の範囲】
【請求項１】
ＣＡＤ／ＣＡＭを利用し製作したパーツ（１）にその他のパーツ（２）を固定具（３）で固定する義歯製作方法。
【発明の詳細な説明】
【技術分野】
【０００１】この発明はＣＡＤ／ＣＡＭを利用し製作したパーツにその他のパーツを固定具で固定する事を利用した義歯製作方法に関するものである。
【背景技術】
【０００２】（イ）一塊の義歯床材料を変形加工し利用する。
（ロ）義歯床材料を硬化させながら築盛し一塊として利用する。
従来、義歯床の製作方法は以上の手法によるものだった。
【発明の概要】
【発明が解決しようとする課題】
【０００３】これは、次のような欠点があった。
従来、義歯の製作には模型が必要であった。それは装置等を義歯床内部に組み込むために、模型と装置等の隙間を利用する為である。模型を製作し、その後にその模型に合わせて義歯を製作する手法は、多くの時間と費用を費やす必要があった。またＣＡＤ／ＣＡＭ等の技術は複数のマテリアルを組み合わせたものを同時に組み込みながら製作するのが困難で、複数の材質が組み合わされている義歯を製作するのが困難であった。
本発明は、以上のような欠点をなくすためになされたものである。
【課題を解決するための手段】
【０００４】ＣＡＤ／ＣＡＭを利用し製作したパーツ（１）を用意する。その他のパーツ（２）を用意する。ＣＡＤ／ＣＡＭを利用し製作したパーツ（１）とその他のパーツ（２）を固定具（３）で固定する。
本発明は、以上の手法よりなる義歯製作方法である。
【発明の効果】
【０００５】それぞれのパーツを組み立てて義歯を製作する事や、一部パーツを交換して義歯を製作する事が出来る。全てのパーツがＣＡＤ／ＣＡＭを利用し製作したパーツである場合、模型のデータや各パーツのデータがあれば、再び模型を製作する事なく義歯を製作する事が出来るので、多くの時間と費用を削減することが可能である。同じ義歯を同時にスペアとして製作する事や、必要な時に必要な数だけ同じ義歯を製作する事が出来る。データとＣＡＤ／ＣＡＭ等の設備があれば、製作場所を選ばず同じ義歯を製作する事ができる。震災等の緊急時のリスクマネージメントになる。
【図面の簡単な説明】
【０００６】
【図１】本発明の断面図である。
【発明を実施するための形態】
【０００７】以下、本発明を実施するための手法について説明する。
ＣＡＤ／ＣＡＭを利用し製作したパーツ（１）を用意する。その他のパーツ（２）を用意する。ＣＡＤ／ＣＡＭを利用し製作したパーツ（１）とその他のパーツ（２）を固定具（３）で固定する。
本発明は、以上のような手法である。
【符号の説明】
【０００８】１  ＣＡＤ／ＣＡＭを利用し製作したパーツ
２  その他のパーツ
３  固定具
【図１】
2018023698.tif 000003
(57)【要約】【課題】夏季は気温が高く熱中症になる人が多く、冬は気温が低く体温が低下する事で体調を崩す人がいる。【解決手段】鞄内部１に発熱、吸熱を行うベルチェ素子を設ける。ベルチェ素子に取り付けたヒートシンクに１０から吸入した外気を送風し８により５で空気の流れを切り替えて温風、冷風もしくは混合気を１１及び１３から排出することで体温の調整を行い体調不良の軽減を行う。２０は１３からの空気の流れを背中の体幹部に届けるため中央部は上部から下部にかけて溝があり、中央溝部から左右へは植物の根のように数か所にわたり空調された空気の流れを促す溝を複数配置。１６には低温収納庫を設け飲食物を低温で運ぶことにより水分補給をし熱中症の軽減を促進する。【選択図】図１
2018023694.tif 000002
【特許請求の範囲】
【請求項１】
冷風、温風装置を設け体幹と首に送風することを特徴とする鞄。
【請求項２】
収納庫に低温収納箇所を設けたことを特徴とする請求項１記載の鞄。
【発明の詳細な説明】
【技術分野】
【０００１】  この発明は、鞄を背負う体幹、首へ冷風・温風を送るに関する。
【背景技術】
【０００２】  ベルチェ効果による発熱と吸熱を行う機器のヒートシンクへ、送風扇により外気を送ることで常温の風を冷風と温風へ変える装置を鞄に搭載したものである。
【発明の概要】
【発明が解決しようとする課題】
【０００３】  異常気象による夏の酷暑による熱中症や、冬の酷寒による体温低下で体調を崩す学生や社会人がいる。  そこで、この発明は、背負うことで体調不良を軽減出来る鞄を提供することを課題とする。
【課題を解決するための手段】
【０００４】  以上の課題を解決するために、第一発明は、鞄に冷風、温風発生装置を設け体幹と首に送風することを特徴とする鞄である。  また、第二発明は、吸熱効果を利用し収納部分に低温部を設けたことを特徴とする鞄である。
【発明の効果】
【０００５】  第一発明、または第二発明によれば、鞄を背負うことで体幹と首へ酷暑時は冷風を送り、酷寒時は温風を送り、低温収納庫に冷えた飲食物を携帯する事で体調を崩す事を軽減出来る。
【図面の簡単な説明】
【０００６】
【図１】この発明の一実施形態を示す側面図である。
【発明を実施するための形態】
【０００７】  この発明の一実施形態を、図１に示す。  鞄の本体にベルチェ素子を利用し発熱と吸熱を行う機器にヒートシンクを取り付けた装置を配置、送風機により外気をベルチェ素子に取り付けたヒートシンクへ供給し、冷風が必要な際は空気弁をベルチェ素子の吸熱側へ送り、温風が必要な際は発熱側へ送る事で冷風や温風または混合気を背負う部分の体幹と首の部分へ排出する機構を持つ。吸熱側の面を、鞄の収納側部に隣接させることで収納部に温度が低くなる箇所を設け飲食物の保存、低温化を行う。発熱側の面をバッテリー収納部に隣接させることで、バッテリーを温め冬季や低温時にバッテリーが冷えて給電効率が下がることを軽減します。ベルチェ素子と送風機等の電源装置としてソーラー発電機付モバイルバッテリーを取り付けることにより日中は発電を行いながら使用することを可能とする。給電効率が下がったり太陽発電が行えない場合は別に用意したモバイルバッテリーに取り換えることにより継続的に使用することを可能とする。
【０００８】「実施形態の効果」  この実施形態によれば背負う事で温度変化に体温変化の軽減、低温の飲食物の携帯が可能。「他の実施形態」  図１の実施形態では、機構面が強調されたものだが通学用鞄のランドセルやナップサックやリュックサック、ビジネスカバンや３ｗａｙカバン、登山用ザックでも良い。
【産業上の利用可能性】
【０００９】  この機構を学生のランドセルに付加することで通学中の熱中症予防になる。【００１０】鞄内部１に発熱、吸熱を行うベルチェ素子を設ける。ベルチェ素子に取り付けたヒートシンクへ１０から吸入した外気を送風し８により５で空気の流れを切り替えて温風時は発熱側に空気が流れるように、冷風時は吸熱側に空気が流れるようにし温度を調節したい場合などは両方に空気を流すことにより混合気を１１及び１３から排出。２０は１３からの空気の流れを背中の体幹部に届けるため、中央部は上部から下部にかけて溝があり、中央溝部から左右へは植物根のように数か所にわたり空調された空気の流れを促す溝を複数配置。１６には飲食物を運ぶ低温収納庫を配置。
【符号の説明】
【００１１】１  ヒートシンク付ベルチェ素子          ２  ソーラー発電装置付モバイルバッテリー３  電源用ＵＳＢ端子ケーブル            ４  送風機５  可変空気弁                          ６  電源スイッチ７  温度調節スイッチ                    ８  可変空気弁切替スイッチ９  発熱ヒートシンク冷却風誘導翼        １０  指入れ防止機構付吸入口１１  指入れ防止機構付首部送風排出口    １２  ソーラー発電用透明窓１３  体幹部送風排出口                  １４  発熱ヒートシンクからの排熱口１５  バッテリー出し入れ口              １６  低温収納庫１７  低温収納庫扉                      １８  収納庫１９  収納庫扉                          ２０  空気が流れる溝が複数ある衝撃材２１  ショルダーストラップの締め付けを防ぐ衝撃吸収材
【図１】
2018023694.tif 000003
(57)【要約】      （修正有）【課題】掃除を簡単にしたい。沢山の野菜を楽に食べたい。器具によって切り口が異なり、食感が違う。押し切りにすることで、切り口が軟らかくなり、口当たりが良く、沢山の野菜を楽に食べられるようにした、野菜サラダみじん切り用具を提供する。【解決手段】取っ手１と刃３を接続させるステンレスの２本の丸棒２」、丸棒は接点が少ないので、みじん切りした野菜がくっ付かない。丸棒を三角柱にしたことで野菜が上がって来ない。刃は左右丸くすることにより、長い刃にすることが出来る。鋸歯にすることで切れ味が良くなる。押し切りにすることで切り口が軟らかくなり、口当たりが良く、沢山の野菜を食べられるようにした、野菜サラダみじん切り用具である。【選択図】図１
2018023696.tif 000002
【特許請求の範囲】
【請求項１】
取っ手と、刃を接続させるステンレスの２本の丸棒、丸棒は接点が少ないので、みじん切りした野菜がくっ付かない、丸棒を三角柱にした事で、野菜が上がって来ない、刃は左右を丸くすることで長い刃にすることが出来、鋸歯にすることで切れ味が良くなる、野菜サラダみじん切り用具。
【発明の詳細な説明】
【技術分野】
【０００１】  本発明は、野菜が用具にくっ付かないよう、掃除が簡単にでき、皿に盛った野菜をみじん切りにして食べやすくする用具である。
【背景技術】
【０００２】  従来、フードプロセッサー・チョッパー型があり、容器にみじん切りにした野菜がくっ付いて、掃除に手間が掛かる。器具によって切り口が異なり、食感が違う。一度に沢山の野菜が入らない。
【発明の概要】
【発明が解決しようとする課題】
【０００３】  これは次のような欠点があった。
従来、フードプロセッサー・チョッパー型があり、容器にみじん切りにした野菜がくっ付いて、掃除に手間が掛かる。器具によって切り口が異なり食感が違う。一度に沢山の野菜が入らないものであった。
本発明は、以上のような欠点を無くす為になされたものである。
【課題を解決する手段】
【０００４】  取っ手と、刃を接続させるステンレスの２本の丸棒、丸棒は接点が少ないので、みじん切りした野菜がくっ付かない。丸棒を三角柱にしたことで、野菜が上がってこない。刃は、左右を丸くすることで長い刃にすることが出来、鋸歯にすることで切れ味が良くなる。
本発明は、以上の構成よりなる、野菜サラダみじん切りである。
【発明の効果】
【０００５】  掃除が簡単であり、沢山の野菜をスプーンで食べられる。押し切りする事で、切り口が軟らかいので口当たりが良い。野菜サラダ以外にも応用できる。美味しい。少量の水で洗える。尖っている所がないので、危険度が少ない。場所を選ばず何処でも使用できる。
【図面の簡単な説明】
【０００６】
【図１】  本発明の野菜サラダみじん切り用具の図である。
【発明を実施するための形態】
【０００７】  以下、本発明を実施するための形態について説明する。
取っ手（１）に、取っ手と刃を接続させるステンレスの２本の丸棒を三角柱にした（２）に、刃（３）を取り付けた用具である。
これを使用するときは、野菜サラダみじん切り用具の取っ手を持って、皿に盛った野菜サラダに対して、押し切りをすれば良い。
【符号の説明】
【０００８】１．取っ手
２．ステンレスの２本の丸棒を三角柱にしたもの
３．刃（左右が丸い鋸歯）
【図１】
2018023696.tif 000003
(57)【要約】【課題】  夏季の登山や、サイクリング時にリュックやバックパック等を背負うと、そのせいで熱がこもり、必ず体温の上昇と共に、背中に大量の汗をかき、服の着替えや体力の消耗をまねく。抜群の通気性を有する通気パッドを提供する。【解決手段】  一つの一つの網目が相互の境界を一部共有しつつ複数の柱で支えられた、無数の網目の集合体からなるパッド体であって、裏面に通気間隔保持支柱によってリュック背当て面との間に通気間隔を前面に確保したことを特徴とするリュックサック用背当て通気パッド。【選択図】図１
2018023674.tif 000002
【特許請求の範囲】
【請求項１】
リュックの背当て面のほぼ全面を覆い、全体が網目状に形成され、外周縁に限って、強度補強の縁枠を設けているパッド体において、  リュック背当て面に当たる側をパッド裏面とし、人の背中に当たる側をパッド表（おもて）面とするが、
パッド裏面において、各網目が隣接する網目と相互に共有し合う境界即ち網目枠を根元として、直交的にヤマアラシの背中の針のように多数の針柱即ち通気間隔保持支柱が形成されており、
パッド体の縁枠において、左右のリュック肩紐それぞれの上下の付け根に対面する位置の合計四ヶ所に、伸縮性のある取り付け部材とクリップから成る取り付け手段を備え、クリップで肩紐の付け根に固定して使用することを特徴とするリュックサック用背当て通気パッド。
【発明の詳細な説明】
【技術分野】
【０００１】
背負い式バッグ（リュック、バックパック等）の背面の通気性を大幅に向上させる通気パッドに関する。
【背景技術】
【０００２】
(1)プラスチック樹脂製の格子状の板を向い合せて数か所の柱で厚み（空間）を持たせてつなぎ合わせた構造の、汗取りセパレーターが知られている（特許文献１参照）。
(2)金属製のばね板が弓の弦状に曲がり絃の部分にネットを張った構造の、リュックもよく知られている（非特許文献１参照）。
【先行技術文献】
【特許文献】
【０００３】
【特許文献１】特開平１１ー８９６３５号公報
【非特許文献】
【０００４】
【非特許文献１】ドイター フューチュラ38リットル（ドイター社製）
【発明の概要】
【発明が解決しようとする課題】
【０００５】
夏季の登山や、サイクリング時にリュックやバックパック等を背負うと、背中に熱がこもり、大量の汗をかいて体力消耗を招き、服も着替えねばならなくなる。
【課題を解決するための手段】
【０００６】
リュック背当て面のほぼ全面を覆い、全体が網目状に形成され、外周縁に限って強度補強の縁枠を設けているパッド体である。背当て面に当たる側をパッド裏面とし、人の背中に当たる側をパッド表（おもて）面とする。パッド裏面において、各網目が隣接する網目と相互に共有し合う境界即ち網目枠を根元として直交的にヤマアラシの背中の針のように、多数の針柱即ち通気間隔保持支柱が形成されている。
パッド体の縁枠において、リュック肩紐左右それぞれの上下の付け根に対面する位置の合計四ヶ所に、伸縮性のある取り付け部材と取り付け用クリップから成る取り付け手段を備え、クリップで肩紐の付け根に固定して使用する。
以上を特徴とするリュックサック用背当て通気パッドである。
【発明の効果】
【０００７】
（１）複数の柱で支えた網目の集合体構造で、プラスチック製で柔軟性があり、背負った時、背中の凹凸局面に添い曲った状態でも通気の空間を確保できる。
（２）プラスチックの一体成型ができ、軽くて丈夫で、製造コストが安い。
（３）一つの網目を複数の柱で支えた独立した構造の集合体のため、リュックの背当て形状に対し、パッドが大きすぎたりして合わない場合には、ニッパー等で余り域を自由に切断して形を合わせることができる。
（４）クリップでワンタッチで取り外しが出来るので、他のリュックにも使え汎用性がある。
（５）多数の柱がリュック体の外(背当て面側)に、リュック体とは別に独立して通気空間を確保するので、リュックの容量を侵食しない。
【図面の簡単な説明】
【０００８】
【図１】本発明をリュックに取り付けた状態を示す斜視図
【図２】本発明をリュックの背面形状より一回り大きい状態から、ニッパー等で切って背面形状に合わせた状態を示す斜視図
【図３】本発明の一部である取り付け手段を示す斜視図
【図４】本発明の使用において、取り付け手段でリュックに取り付けた個所をわかりやすく示した部分拡大斜視図
【発明を実施するための形態】
【０００９】
リュック背当て面（１）のほぼ全面を覆い、全体が網目状に形成され、外周縁に限って強度補強の縁枠（２）を設けているパッド体である。背当て面（１）に当たる側をパッド裏面（３）とし、人の背中に当たる側をパッド表面（４）とする。パッド裏面（３）において、各網目が隣接する網目と相互に共有し合う境界即ち網目枠（５）を根元として直交的にヤマアラシの背中の針のように、多数の針柱即ち通気間隔保持支柱（６）が形成されている。
パッド体の縁枠（２）において、リュック肩紐（７）左右それぞれの上下の付け根に対面する位置の合計四ヶ所に伸縮性のある取り付け部材と取り付け用クリップから成る取り付け手段（８）を備え、クリップで肩紐の付け根に固定して使用する。
本発明は以上の様な構成であり、以下、その具体的な実施例を説明する。
登山やハイキング時に、使用すると、従来の金属製のばね板が弓の弦状に曲がり絃の部分にネットを張った構造の、登山用リュックよりも、安価で軽量で通気性も良く、体力の消耗を避けることができる。また、汗をかきにくくなるので、着替えの用意がへり、装備をより軽くできる。パッドがリュック容量を侵食しないので、物がよく入る。ほとんどのリュックに取り付け可能な為、お気に入りの使い慣れたリュックを使うことができる。
サイクリング時では、他の製品よりも通気性が良いので、走行時に受ける風が背中を通り、十分に体を冷却できる。
パッド体の真ん中をニッパー等で切り取り、通気の為の穴を拡大すると、より軽量になり、通気性能もアップする。
【符号の説明】
【００１０】
１  背当て面，    ２  縁枠，    ３  パッド裏面，    ４  パッド表面，    ５  網目枠，    ６  通気間隔保持支柱，    
７  肩紐，    ８  取付け手段
【図１】
2018023674.tif 000003
【図２】
2018023674.tif 000004
【図３】
2018023674.tif 000005
【図４】
2018023674.tif 000006
(57)【要約】【課題】ワームホール１と２の作り方を実施する事に関する。【解決手段】ワームホールを作るための、諸々の解決の仕方ついて。【選択図】図１
2018023266.tif 000002
【特許請求の範囲】
【請求項１】
ワームホール２。
【請求項２】
デジョンに似た壊し方をする。
【請求項３】
物質を破壊し、移動させる。
【請求項４】
解かり易くする。
【請求項５】
火星開発の手助けとも成る。
【請求項６】
ワームホール１、分子を吹き付ける。
【請求項７】
自分を解かり易くする、解決出来る。
【請求項８】
ワームホール１用ワックス。
【請求項９】
ワームホール１最後には減速して届ける。
【請求項１０】
シャトル（船状）に乗せてワープ、移動する。
【請求項１１】
物質を招待し易くする。
【請求項１２】
本当はし無い。
【発明の詳細な説明】
【技術分野】
【０００１】本発明は、ワームホール建設に関する、諸々の発明。
【背景技術】
【０００２】近年、宇宙開発が進んで来た。【０００３】図のＢを使い、ワームホールを作る仕方について。
【発明の開示】
【発明が解決しようとする課題】
【０００４】従来では、ワームホールの宣言が有ったので２を作る。【０００５】本発明は、ワームホールの建設について、また、解決の仕方。
【課題を解決するための手段】
【０００６】ワームホールの作り方について。
【発明を実施するための最良の形態】
【０００７】図の様なワームホールの作り方について。
【図面の簡単な説明】
【０００８】
【図１】ワームホール１の、分子を吹き付けて居る所。
【符号の説明】
【０００９】  Ａ  軌道。
Ｂ  分子の吹き付け方。
【図１】
2018023266.tif 000003
(57)【要約】      （修正有）【課題】墓参りなど野外で線香に点火するとき風の影響を受け、火が付かないことがよくあるが、墓周辺は物を置く場所が少なく、線香点火補助器具など所持品が多いと手作業の支障になる。そこで墓参りに必ず持参する線香箱を加工し、一つの箱に線香・ライターを収納や風の影響を避け点火できる構造を備えた線香箱を提供する。【解決手段】線香箱において、線香・ライターを収納する線香収納部Ａと、線香収納部から線香を数本取り出しその先端を線香点火部Ｃにはみ出して置く線香セット部Ｂと、底面の穴からライターのノズルを突き出し線香に点火する底面・側面に断熱材を貼りつけた線香点火部から構成され、線香・ライターの収納し、風が強い日に風の影響を避け線香に点火できる機能を一つの箱にまとめた線香箱を提供することにより、課題は解決できる。【選択図】図１
2018023480.tif 000002
【特許請求の範囲】
【請求項１】
線香箱において、
線香・ライターを収納する線香収納部と
線香収納部から線香を数本取り出し、その先端を線香点火部にはみ出して置く線香セット部と、
底面の穴からライターのノズルを突き出し線香に点火する底面・側面に断熱材を貼りつけた線香点火部から構成され、
線香・ライターの収納し、風が強い日に風の影響を避け線香に点火できる機能を一つの箱にまとめたことを特徴とする線香箱。
【発明の詳細な説明】
【技術分野】
【０００１】
この発明品は、線香・ライターを収納し、野外で線香に点火するとき風の影響を避ける構造を備えた線香箱に関する。        
【背景技術】
【０００２】
従来、墓参りで線香に火をつける際、風が強い日に、火が付かないことがよくある。そのため、着火剤・延焼剤を配した線香束を準備するか、線香点火補助器具を持参することなどが必要であった。
【先行技術文献】
【特許文献】
【０００３】
【特許文献１】特開２００５−１４５９４３
【特許文献２】特開平１０−１４６６０
【発明の概要】
【発明が解決しようとする課題】
【０００４】
しかしながら特許文献１に示す点火手段付き線香束の準備は煩わしいし、特許文献２に示すように線香点火補助器具を持参したりすることも、墓参りに所持品が多いことは望ましくない。
【０００５】
そこで本発明は墓参りに必ず持参する線香箱を工夫し、線香・ライターを収納し、風の影響を避けてライターで点火できる機能を一つにまとめた線香箱を提案するものである。
【課題を解決するための手段】
【０００６】
線香箱において、
線香・ライターを収納する線香収納部と、
線香収納部から線香を数本取り出しその先端を線香点火部にはみ出して置く線香セット部と、
底面の穴からライターノズルを突き出し線香に点火する底面・側面に断熱材を貼りつけた線香点火部から構成され、
線香・ライターの収納し、風が強い日に風の影響を避け線香に点火できる機能を一つの箱にまとめたことを特徴とする線香箱を提供することにより、前記課題は解決できる。
【発明の効果】
【０００７】
上述のように本発明品は、線香箱一つ持参すれば、線香・ライターの持ち運びから、風の影響を避け線香の点火までできる構造を備えた線香箱を提供できる。    
【図面の簡単な説明】
【０００８】
【図１】本発明品の線香箱の構成図（箱を開いた状態）
【図２】本発明品の線香箱の作業状況図
【図３】本発明品の線香箱の正面図、斜視図
【図４】線香箱の使用手順
【発明を実施するための形態】
【０００９】
以下、本発明を実施するための形態について図１〜図４に基づいて説明する。
本発明品の構成は、ライター・線香を収納する線香収納部Ａ，線香をセットする線香セット部Ｂ、線香に点火する線香点火部Ｃからなる。（図１参照）
【００１０】
仕切板１に線香がセットできるよう仕切板１の中央部分に切込み２をいれる。また長い ガスライターが収納できるよう、仕切板の片側にも切込み３を入れる。（図２参照）
【００１１】
線香点火部Ｃはライターで点火する部分なので、側面・底面は断熱材で覆う。材質はアルミ箔、またはステンレス材でもよい。
【００１２】
線香箱の蓋は容易に開閉できるよう蓋の側面と線香箱の側面にマグネットシートなどの材料を使用することが望ましい。（図３参照）
【００１３】
線香箱の使用手順については
まず線香箱を開き、線香収納部Ａから点火に必要な数だけ線香を取り出し、線香セット部Ｂの仕切板切込み１に線香を置く。その際、線香の先端が線香点火部Ｃの底面の穴の上側に置いてあることを確認する。次に線香点火部Ｃの底面のくり抜いた穴からライターのノズルを出してセットしている線香に火をつける。（図4参照）
【符号の説明】
【００１４】
Ａ  線香収納部
Ｂ  線香セット部
Ｃ  線香点火部
１  仕切板
２  切込み
３  切込み
４  マグネットシート
【図１】
2018023480.tif 000003
【図２】
2018023480.tif 000004
【図３】
2018023480.tif 000005
【図４】
2018023480.tif 000006
(57)【要約】【課題】従来の携帯電話では、液晶画面が表面の１面のみにあり、裏面にはなかった。そのために、或る画像について複数の人が話し合うときには、携帯電話の画像のある液晶面を回転して、対話者に提示しなければならなかった。又携帯電話の翻訳機能を利用して対話しようとするときには、翻訳された言語が表示された液晶面を回転して対話者に提示しなければならなかった。【解決手段】上記の課題を解決するために、携帯電話の裏面にも液晶画面を設ける。裏面の液晶画面には、表面の液晶画面に表示される画像と同一画像が表示される構造とする。また、携帯電話で翻訳機能を使用する時には、表面の使用者の発音した音声が、又は表面に書いた文字が、表面の使用者が予め指定した言語に音声発音され、液晶画面に文字表示される構造とする。【選択図】図１
2018023078.tif 000002
【特許請求の範囲】
【請求項１】
裏面に液晶画面を設けた携帯電話。
【発明の詳細な説明】
【技術分野】
【０００１】  本発明は、携帯電話の液晶画面に関する。
【背景技術】
【０００２】  従来の携帯電話では、液晶画面は、表面の１面のみであった。（年月日、曜日、時刻、電池残量等のみを表示する画面を除く。）裏面には、カメラ機能のレンズが装填されているのみで、液晶画面はなかった。
【先行技術文献】
【特許文献】
【０００３】
【特許文献１】特開２０１１−２４３１７７
【特許文献２】特開２００７−２７４７３８
【発明の概要】
【発明が解決しようとする課題】
【０００４】  本発明は、複数の人が１個の携帯電話を利用する時に生ずる不便を解消しようとするものである。
従来の携帯電話では、携帯電話に映し出される画像（当該携帯電話のカメラ機能を使用して撮影した画像、通信手段により取り込まれ内蔵した画像を含む。以下「画像等」と言う。）は、当然のことながら液晶画面のある面（以下、液晶画面のある面を「表面」といい、表面の裏側の面を「裏面」と言う。）にのみ映し出されていた。そのために複数の人が同一の画面を話題にするときは、携帯電話を回転して対話者が表面の画像等を見られるようにしなければならない不便があった。
また、異なる言語の対話者が従来の携帯電話の翻訳機を利用して対話するときには、話し手の言語及び翻訳された言語は、携帯電話の表面にのみ現出し、裏面には液晶画面がないので、発信者が発言の都度、対話者のために携帯電話を回転させて、表面を対話者に提示する必要があった。対話の都度、携帯電話を回転させなければならず非常に不便であった。
【課題を解決するための手段】
【０００５】  本発明は、上記の課題を解決するために、携帯電話の裏面にも液晶画面を設けて、画像および翻訳された言語が表示され、かつ発音されるようにする。
携帯電話の表面に表示された画像を、携帯電話の裏面にも表示されるようにすれば、対面する複数の人は、同一画像を見て話ができるので、携帯電話の表裏を回転させる必要がなくなる。また、発信人が自国の言語で携帯電話の表面の液晶面に向かって話をし、又は文字を記入すると、表面の液晶面には、その発信人の言語が自国の文字で液晶面に表示される。同時に、発信人があらかじめ設定した通話相手方の言語に変換されて、携帯電話の裏面に設けた液晶面に相手方の言語で文字表示され、同時に、発音されれば、相手方は、裏面に設けられた液晶面に表示された文字と、発音された言語の両者により、発信人の発声した言語の意味・意思を音声・文字の両者で読み取り・聴取できるので、発信者の言語の意味・意思をより容易に理解できるようになる。逆の通話もできるようにする。対話相手方が発した言語が携帯電話の裏面に言語表示されると同時に、変換された言語も表面に音声発音・文字表示されるようにする。その結果、発信者も相手方の応答する言語の意味・内容をより迅速に理解できるようになる。
裏面の液晶画面は、裏面全体をカバーするものでなくてもよい。
【発明の効果】
【０００６】  携帯電話の表面及び裏面に同一の画像が表示されるようにすれば、発信者、対話者は同時に同一の画像を見ながら話ができるので、会話の途中で携帯電話を回転させる必要がなくなる。また、異なる言語を使用して対話する時にも、相手方の使用する言語が翻訳されて対話者が向かう裏面から翻訳された音声が発せられ、翻訳された文字が画面上に表示されるので、会話の途中で携帯電話を回転させる必要がなくなる。その結果、相互の意思疎通が速やかに誤りなくできるようになる。
【図面の簡単な説明】
【０００７】
【図１】図１は、本発明を実施した携帯電話の裏面である。
【発明を実施するための形態】
【０００８】［図１］
本発明の実施形態を図面に基づき説明する。本発明を実施した携帯電話では、液晶画面が携帯電話の表面と裏面の両面に設けられて、両面の液晶画面に同一画像が表示されるので、発信人と対話者は同一画面を見て話ができて、従来のように液晶画面が１面だけの携帯電話を使用する場合のように、携帯電話を回転させる必要がなくなり、対話が円滑になる。
また、使用言語の異なる発信者と対話者が携帯電話の翻訳機を使用して会話すれば、発信者の発信言語が直ちに翻訳されて裏面に表示され、発音されるので、意思疎通が誤りなく速やかにできるようになる。
【符号の説明】
【０００９】１  携帯電話裏面の液晶画面
２  携帯電話裏面のカメラのレンズ
【図１】
2018023078.tif 000003
(57)【要約】【課題】介護の現場で改善が求められていることは、排泄物からの不快なにおいの解消である。特に、使用後のオムツなどの脱着作業中、また使用後オムツなどの収容容器からのにおいを抑えることができる介護作業改善のための消臭剤が望まれた。【解決手段】排泄物からの不快なにおいの主なものはアミン類であるので、これを有機酸による中和反応で瞬時に抑え、残るにおいは香料によるマスキングで防止する。有機酸及び香料を含む水溶液を調製し、これを使用後のオムツなどに噴霧して不快なにおいを抑制する。【選択図】なし【特許請求の範囲】
【請求項１】
有機酸、香料、抗菌剤及び界面活性剤を含む水溶液であることを特徴とする介護作業改善剤。
【請求項２】
有機酸は、クエン酸、コハク酸、リンゴ酸及びシュウ酸であることを特徴とする請求項１記載の介護作業改善剤。
【請求項３】
香料は、天然香料及び合成香料酵素であることを特徴とする請求項１記載の介護作業改善剤。
【請求項４】
抗菌剤は、化粧品用及び食品添加物であることを特徴とする請求項１記載の介護作業改善剤。
【請求項５】
界面活性剤は、化粧品用の非イオン性界面活性剤であることを特徴とする請求項１記載の介護作業改善剤。
【請求項６】
請求項１記載の介護作業改善剤は、使用後のオムツ及び下着など、又はそれらを収容している容器の内容物に噴霧して使用することを特徴とする請求項１記載の介護作業改善剤。
【発明の詳細な説明】
【技術分野】
【０００１】本発明は、介護の現場で、使用後のオムツや排泄物で汚染された衣類からの不快なにおいを瞬時に抑える消臭剤を開発して、介護作業を改善する。
【背景技術】
【０００２】従来の、排泄物からのにおいを防止する消臭剤としては、成分として安全性や環境的に懸念のある金属塩及及び抗菌剤を配合したもの、又は炭酸ガスの発泡を利用したものなどがある。【０００３】従来の排泄物についての消臭剤で有機酸を配合したものもあるが、主な消臭メカニズムが中和反応であるものはない。【０００４】従来の排泄物の消臭剤に、簡単な処方で、安全で、排泄物のにおいを瞬時に抑える消臭剤はない。【０００５】有機酸を消臭剤に配合した例を挙げると、特許文献１は排泄物からのアンモニア性臭気物質を捕捉するメカニズムとして、金属錯体の形成を主なこととしているが、金属イオンとしては銅イオン、ニッケルイオン、又はコバルトイオンなどの安全性や環境的に懸念のあるものが使用されている。また抗菌剤として、クレゾール、二酸化塩素、次亜塩素酸又は塩素などの安全性の低いものが使用されている。特許文献２は消臭基剤として金属塩及びリン酸アルカリ金属塩を使用し、更にヒドラジド化合物及びキレート剤などの多数の成分を使用している。有機酸も使用されているが塩基性臭気物質との中和反応への使用目的ではない。特許文献３は有機酸、カルシウム塩、マグネシウム塩、鉄塩、ホウ酸、マンガン塩、銅塩及びモリブデン酸などを含む、極めて複雑な組成のものである。これを更に、乳酸発酵させた畜肉加工用塩漬液に配合した極めて込み入ったものもある。特許文献４は炭酸水素ナトリウム及び炭酸ナトリウムに有機酸を作用させ、発生する炭酸ガスの活用と、精油及び無機多孔質粉末を配合したものである。特許文献５も炭酸水素ナトリウムに有機酸を作用させ、発生する炭酸ガスを活用するものである。
【先行技術文献】
【特許文献】
【０００６】
【特許文献１】特許公開２００８−２７８９４１
【特許文献２】特許公開２００８−２５９８０４
【特許文献３】特許公開２００５−１９２６１３
【特許文献４】特許公開平０６−０１４９８２
【特許文献５】特許公開平０６−１０５８９３
【発明の概要】
【発明が解決しようとする課題】
【０００７】介護者の仕事内容のうち、改善を要することは、排泄物からの不快なにおいを防止する必要がある。【０００８】排泄物からの不快なにおいの成分は主にアミン類であり、これを瞬時に抑制する必要がある。【０００９】そこで、においを瞬時に抑え、且つ安全で、使用が容易である、介護作業改善のための消臭剤が望まれた。
【課題を解決するための手段】
【００１０】かかる実情において本発明者らは、上記課題を解決すべく鋭意研究を重ねた結果、においの主成分であるアミン類を、有機酸による中和反応で捕捉し、更に香料によるにおいのマスキングができる処方で、その成分は安全性の高いものを選択し、製法が簡単な消臭剤を開発し、上記介護の現場での大きな課題を解決することを見出し、本発明を完成するに至った。
【発明の効果】
【００１１】本発明により、使用が容易で、排泄物からのにおいを瞬時に抑える介護作業改善剤が提供できる。
【発明を実施するための形態】
【００１２】以下本発明を詳細に説明する。
本発明に用いられる有機酸は、クエン酸、コハク酸、リンゴ酸及びシュウ酸である。
【００１３】本発明に用いられる香料は、天然香料及び合成香料である。
【００１４】本発明に用いられる抗菌剤は、化粧品に使用されているもの、及び食品添加物として使用されているものである。
【００１５】本発明に用いられる界面活性剤は、化粧品に使用されている非イオン性の安全性の高いものである。
【００１６】本発明の有機酸、香料、抗菌剤及び界面活性剤を溶かした水溶液は、排泄物の付着した使用後のオムツ及び下着など、又はそれらを収容している容器内に噴霧し、不快なにおいを瞬時に消臭して、介護作業を改善するものである。
【実施例】
【００１７】以下に本発明の実施例を示し、本発明を詳細に説明するが、本発明はこれらの実施例によって限定されるものではない。【００１８】実施例１
クエン酸１ｇ、バラ香料０．１ｇ、ソルビン酸０．１ｇ及びポリオキシエチレン硬化ヒマシ油０．３ｇを水１００ｇに溶かす。これをスプレー容器で使用後のオムツに噴霧すると、不快なにおいは瞬時にほとんど認められなくなった。【００１９】実施例２
コハク酸３ｇ、ペパーミント香料０．１ｇ、メチルパラベン０．１ｇ及びポリオキシエチレンソルビタン脂肪酸エステル０．３ｇを水１００ｇに溶かす。これをスプレー容器で使用後のオムツに噴霧すると、不快なにおいは瞬時にほとんど認められなくなった。【００２０】実施例３
シュウ酸６ｇ、ユーカリ香料０．５ｇ、安息香酸ナトリウム０．７ｇ及びポリオキシエチレンソルビタン脂肪酸エステル０．５ｇを水１００ｇに溶かす。これをスプレー容器で使用後のオムツ及び下着を収容している容器内に噴霧すると、不快なにおいは瞬時にほとんど認められなくなった。【００２１】実施例４
リンゴ酸１０ｇ、ヒノキ香料０．７ｇ、デヒドロ酢酸ナトリウム０．２ｇ及びポリグリセリン脂肪酸エステル０．５ｇを水１００ｇに溶かす。これをスプレー容器で使用後のオムツ及び下着を収容している容器内に噴霧すると、不快なにおいは瞬時にほとんど認められなくなった。
(57)【要約】【課題】  前すべりが無く、また、各指が自由に曲げ伸ばしでき、外反母趾予防ができ、五本の各指が自由自在に動ける構造の五本指付靴を提供する。【解決手段】靴１使用時においては、材料は柔らかい素材を使用し、各指に合った大きさの袋２（親指、人差し指、中指、薬指、小指）を作り、靴１の先端部に順に袋２を親指、人差し指、中指、薬指、小指の袋を縫い合わせ、靴１上部に舌４を大きくとり、靴１にファスナー３を縫い合わせ、舌４にもファスナー３を縫い合わせ、同じく、もう片方にも靴１にファスナー３を縫い合わせる、舌４にもファスナー３を縫い合わせ、大きく舌４を開けことができ、靴１と袋２を組み合わせて、縫い合わせることにより目的を達成する。【選択図】図９
2018023702.tif 000002
【特許請求の範囲】
【請求項１】
靴（１）の先端部に異なった五つの袋状（２）を設け、各指の袋状（２）は、靴（１）の先端部に各指袋が順に親指用袋、人差し指用袋、中指用袋、薬指用袋、小指用袋が先端部に各指袋が独立して縫いつけてあるために袋に指が入った時に自由に動かすことが出来、地面と指とのフィット感があり、靴（１）の上部に舌（４）を取り付け、舌（４）の両側にファスナー（３）を縫いつけ、靴（１）の上部の両側にファスナー（３）を縫いつけ、舌（４）を大きく開けることが出来るようにし、金具（５）はファスナー（３）と平行に両側に複数の金具（５）を縫いつけてあるので、ファスナー（３）を閉じ、金具（５）に靴紐（６）をかけ結び、使用するようにした五本指付健康履物。
【発明の詳細な説明】
【技術分野】
【０００１】  本発明は、特に日常生活する上で毎日使用する先端部構造に特徴のある履物に関するものである。
【背景技術】
【０００２】  従来、生活上毎日履いている、種々の靴は、ファション等々を優先にしているために、靴全体が細くなっている、特に先端部が細く、そして、かかとが高い履物が多い。
【先行技術文献】
【特許文献】
【０００３】
【特許文献１】  特開２００６−０８１７９７号公報
【特許文献２】  特開２０１４−１１０８２３号公報
【発明の概要】
【発明が解決しようとする課題】
【０００４】  従来の技術では、足が細くなり、指が曲がってしまい、各指が靴となじんでいないために、各指が地面と接触が無く、指に力を入れても入らない等の問題を解決することができない。前すべりして指が曲がり不健康な状態に落ちっている、指の本来の機能が発揮できない。
【課題を解決するための手段】
【０００５】  課題を解決するための手段は、靴１であって靴先端部に指が入る異なった五つの袋状（親指、人差し指、中指、薬指、小指用の）２を縫い合わせ、靴１の上部に舌４の両側にファスナー３を縫い合わせ脱着自在、異なった五つの袋状（親指用、人差し指用、中指用、薬指用、小指用）２それぞれ袋状が独立して備えることを特徴とする。
以上の構成よりなる五本指付健康履物
【発明の効果】
【０００６】  本発明により、靴１であって靴先端部に指が入る異なった五つの袋状（親指用、人差し指用、中指用、薬指用、小指用の）２を縫い合わせ、靴１の上部に舌４の両側にファスナー３を縫い合わせ脱着自在で靴１の先端部に異なった五つの袋状２に各指袋が独立した袋状に各指が入り、前すべりが無く、外反母趾予防になり、各指袋が独立しているので自由自在に収縮でき、地面と指とのフィット感と言う顕著な効果を有する。
【図面の簡単な説明】
【０００７】
【図１】靴の平面図である。
【図２】靴の先端部を示す斜視図である。
【図３】靴の他の実施例を示す平面図である。
【図４】靴の他の実施例を示す平面図である。
【図５】カバーの斜視図である。
【図６】靴の平面図である。
【図７】靴の斜視図である。
【図８】靴の斜視図である。
【図９】靴の側面図である。
【発明を実施するための形態】
【０００８】  以下、図面を参照して靴における本発明について説明する。
図１は、靴１の平面図であり、靴１の上部に舌４を大きく設けあるために、舌４の先端部を靴１の先端部に異なった五つの袋状（親指用、人差し指用、中指用、薬指用、小指用）２の袋状がそれぞれ独立した堺に舌４の先端部を縫い合わせ、舌４を上げた時に外れないように縫いつけてある、舌４の両側にファスナー３を縫いつけ、靴１の上部の両側にファスナー３を縫いつけて、ファスナー３が自由に開閉出来るようにしてある、金具５に靴ひも６を掛け結び、靴１と袋状２の上部に面ファスナー８を縫い合わせ、カバー７の内面に面ファスナー８を縫い合わせ、靴１と袋状２の上部にカバー７を被せる。
本発明は以上のような構造である。
【０００９】本発明を使用するときは、靴１の上部に設けてある、舌４の両側のファスナー３を大きく開け、袋状（親指用、人差し指用、中指用、薬指用、小指用）２の各袋状２に指を入れ、靴１の上部に設けてある、舌４の両側のファスナー３を閉じ、ファスナー３と平行に金具５が設けてある金具５に靴ひも６を掛け結び、袋状２の上部にカバー７を被せて使用する。
【符号の説明】
【００１０】１  靴
２  袋状
３  ファスナー
４  舌
５  金具
６  靴ひも
７  カバー
８  面ファスナー
９  靴底
【図１】
2018023702.tif 000003
【図２】
2018023702.tif 000004
【図３】
2018023702.tif 000005
【図４】
2018023702.tif 000006
【図５】
2018023702.tif 000007
【図６】
2018023702.tif 000008
【図７】
2018023702.tif 000009
【図８】
2018023702.tif 000010
【図９】
2018023702.tif 000011
(57)【要約】【課題】火力発電所から排出される石炭灰の廃材を主成分としてコンクリート型枠材を製造し、生態系と地球環境を保持する。【解決手段】火力発電所から排出される石炭灰の廃材を主成分原料とし、これにセメントを含む炭化物を添加混合し、得られる混合物を蒸気養生して所望の硬さに硬化することを特徴とする火力発電所から排出される石炭灰の廃材を主成分とするコンクリート型枠材の製造方法。上記養生は蒸気温度６０℃、養生時間２４時間である。【選択図】なし【特許請求の範囲】
【請求項１】
火力発電所から排出される石炭灰の廃材を主成分原料とし、これにセメントを含む添加物を添加混合し、得られる混合物を蒸気養生して所望の硬さに硬化することを特徴とする火力発電所から排出される石炭灰の廃材を主成分とするコンクリート型枠材の製造方法。
【請求項２】
請求項１の製造方法において、前記添加物は石炭灰の廃材５０００グラムに対し、普通セメント４０００グラム、アリナミンセメント５０グラム、珪藻土３００グラム、黒曜石４５０グラム、石こう２００グラム、強化ガラスチョプ長１３ミリ×２００グラム、保水剤８０グラムである請求項１の製造方法。
【請求項３】
請求項１の製造方法において、上記養生は蒸気温度６０℃、養生時間２４時間である請求項１の製造方法。
【請求項４】
請求項３の製造方法において、蒸気養生に加えて、さらに天日乾燥を１４日間行って、圧縮強度２４０度を確認する請求項の製造方法。
【発明の詳細な説明】
【技術分野】
【０００１】
本発明は火力発電所から排出される石炭灰の廃材（クリンカアッシュ）を主成分として含むコンクリート型枠材（ツネ・コンパネコンクリート型枠材）の製造方法に関する。
【背景技術】
【０００２】
火力発電所から排出される石炭灰の廃材クリンカアッシュは高温で燃焼された安全・安心な原料であって、通常の粗骨材よりも比重が軽く、これを原料としたツネ・コンパネ型枠材は特に経済性、耐久性、作業性、作業環境、工期短縮、等に優れたコンクリート型枠材とされている。
【０００３】
しかし、クリンカアッシュは連続気泡の素材のため、熱が伝わりやすく、これを原料として使うためには独立気泡に変換する必要がある。
【０００４】
さらに、クリンカアッシュは国土交通大臣認定防耐火性能試験に合格しなければ製品として使用出来ない。このため性能試験に合格するためにクリンカアッシュを連続気泡から独立気泡の素材に変換する必要がある。
【０００５】
この種の型枠材として、従来、ベニヤ板を用いた型枠材（ベニヤコンパネ板型枠材）が用いられていた。しかし、ベニヤコンパネ板を製造するために地球上の森林を伐採することは生態系と地球環境を害し、人間社会に悪影響を与える。さらに、森林を破壊することは地球温暖化を促進させることにもつながる。
【先行技術文献】
【特許文献】
【０００６】
なし
【発明の概要】
【発明が解決しようとする課題】
【０００７】
本発明が解決しようとする課題は火力発電所から排出される石炭灰の廃材（クリンカアッシュ）を主成分とした原材料をコンクリート型枠材（ツネ・コンパネ型枠材）として用い、上述の公知技術に存する欠点を改良したコンクリート型枠材の製造方法を提供するｋとに存する。
【課題を解決するための手段】
【０００８】
前述の課題を解決するため、本発明のコンクリート型枠材によれば、火力発電所から排出される石炭灰（クリンカアッシュ）を主成分原料とし、これにセメントを含む添加物を添加混合し、得られる混合物を蒸気養生して所望の大きさの型枠規格に成型することを特徴とする。
【発明の効果】
【０００９】
上述の本発明型枠材は原材料として火力発電所から排出される石炭灰の廃材（クリンカアッシュ）を主成分とした原材料をコンクリート型枠材（ツネ・コンパネ型枠材）として用いたから、地球上の森林を伐採する必要がなく、したがって、生態系と地球環境を破壊することがなく、さらに地球温暖化を防止する。
【発明を実施するための形態】
【００１０】
以下、本発明を実施例により具体的に詳述する。
【実施例１】
【００１１】
本発明型枠材は火力発電所から排出される石炭灰の廃材を主成分とする。石炭灰の廃材であるクリンカアッシュは比重が軽く、連続気泡の素材のため熱が伝わりやすく、このため、独立気泡にする必要がある。
【００１２】
本発明は上述のクリンカアッシュにセメントを含む添加物を添加混合する。この混合は例えばコンパネ板の寸法規格、幅９１０ｍｍ×長さ１９２０ｍｍ×厚さ１６ｍｍ、型枠四方の底部分に三角リーブ加工した型枠中で行われる。
【００１３】
上述添加物として例えば普通セメント、アリナミンセメントの他に珪藻土、黒曜石、石こう、水酸化アルミナ、強化ガラスチョップ（長さ１３ｍｍ）、保水剤等が挙げられる。
【００１４】
さらに、本発明は得られる混合物を蒸気養生して硬化する。この場合、上記温度は約６０℃、養生時間は約２４時間である。その後、天日乾燥を１４日間行い、圧縮強度２４０度を確認して本発明にかかる型枠材（ツネ・コンパネ板）を得る。
【００１５】
得られた本発明にかかる型枠板（ツネ・コンパネ板）は原材料の一例の分析結果を示せば次のようになる。
【００１６】
石炭灰の廃材（クリンカ・アッシュ）  ５０００ｇ
普通セメント                        ４０００ｇ
アリナミンセメント                      ５０ｇ
珪藻土                                ３００ｇ
黒曜石                                ４５０ｇ
石こう                                ２００ｇ
水酸化アルミナ                        １５０ｇ
強化ガラスチョップ      長１３ｍｍ    ２００ｇ（クラック防止および強度増強）
保水剤                                  ８０ｇ
【産業上の利用可能性】
【００１７】
本発明はベニヤ板を用いた従来の型枠材に代えて火力発電所から排出される石炭灰の廃材（クリンカアッシュ）を主成分として使用するので、地球上の森林を伐採する必要がなく、このため生体系と地球環境を害するおそれがない。
【手続補正書】
【提出日】平成29年10月31日(2017.10.31)
【手続補正１】
【補正対象書類名】明細書
【補正対象項目名】０００７
【補正方法】変更
【補正の内容】
【０００７】
本発明が解決しようとする課題は火力発電所から排出される石炭灰の廃材（クリンカアッシュ）を主成分とした原材料をコンクリート型枠材料（ツネ・コンパネ型枠材）として用い、上述の公知技術に存する欠点を改良したコンクリート型枠材の製造方法を提供することに存する。